(57)【要約】【課題】着座感がよく、メッシュ地の繊維のずれが少なく、外観が良好で、しかもメッシュ地の表面に、着座者を保持するのに十分な摩擦力が得られるようにしたメッシュ張り椅子を提供する。【解決手段】枠状とした座または背凭れのフレームに、メッシュ地４を張設した椅子において、メッシュ地４を、高張力を有するたて糸１３と、弾性糸１５とモール糸１７とを所要本数ずつ交互に配設したよこ糸とからなるものとし、かつよこ糸１５、１７が、座または背凭れの左右方向を向くようにして、メッシュ地４をフレームに張設する。【選択図】　　　　図６
2004135707.tif 000002
【特許請求の範囲】
【請求項１】
枠状とした座または背凭れのフレームに、メッシュ地を張設した椅子において、前記メッシュ地を、高張力を有するたて糸と、弾性糸とモール糸とを所要本数ずつ交互に配設したよこ糸とからなるものとし、かつ前記よこ糸が、座または背凭れの左右方向を向くようにして、前記メッシュ地をフレームに張設したことを特徴とするメッシュ張り椅子。
【請求項２】
複数本のモール糸を、たて方向に互いに近接して配設した請求項１記載のメッシュ張り椅子。
【請求項３】
モール糸を、たて糸より表面側に多く現れるようにした請求項１または２記載のメッシュ張り椅子。
【請求項４】
複数本の弾性糸を、互いにたて方向に離間させて配設した請求項１〜３のいずれかに記載のメッシュ張り椅子。
【請求項５】
複数の弾性糸からなる弾性糸群におけるモール糸に隣接する弾性糸を、モール糸に近接させ、弾性糸群における中間部の間隔を大とした請求項１〜４のいずれかに記載のメッシュ張り椅子。
【請求項６】
たて糸を、ポリエステルマルチフィラメントとした請求項１〜５のいずれかに記載のメッシュ張り椅子。
【請求項７】
弾性糸を、ポリエーテル系エステル弾性糸とした請求項１〜６のいずれかに記載のメッシュ張り椅子。
【請求項８】
モール糸を、ポリエステル系繊維の芯糸に、フィラメント加工糸の花糸を絡ませたものとした請求項１〜７のいずれかに記載のメッシュ張り椅子。
【請求項９】
たて編により、メッシュ地のたて糸をメッシュ亀甲組織とし、このメッシュ亀甲組織のたて方向の直線部に、複数の弾性糸を、互いに離間するようにして、よこ糸として挿入し、かつメッシュ亀甲組織の傾斜部に、複数のモール糸を、互いに近接させて、よこ糸として挿入したことを特徴とする請求項１〜８のいずれかに記載のメッシュ張り椅子。
【請求項１０】
座に張設するメッシュ地における弾性糸の本数及び密度を、背凭れに張設するメッシュ地における弾性糸のものより大とした請求項１〜９のいずれかに記載のメッシュ張り椅子。
【発明の詳細な説明】
【０００１】
【発明の属する技術分野】
本発明は、座または背凭れにメッシュ地を張設したメッシュ張り椅子に関する。
【０００２】
【従来の技術】
従来のこの種のメッシュ張り椅子としては、メッシュ地を交織された織物により形成したものがある（例えば、特許文献１参照）。
【０００３】
【特許文献１】
特表平８−５０７９３５号公報（請求項８２〜１００、図３６〜３８）
【０００４】
【発明が解決しようとする課題】
しかし、上述の従来のものでは、ストランド３７６に対してエラストマーモノフィラメント３７４が交差しているだけであるのでずれを生じ易く、また表面に現れるメッシュ模様が単調であるだけでなく、表面が滑り易く、着座者を保持するに十分な摩擦力が得られにくい等の問題がある。
【０００５】
また、椅子の着座感としては、座面の前後方向及び背凭れ面の上下方向は緊張力があり、それらと直交する左右方向に関しては、伸縮性があることが望ましいが、上述の従来のものでは、そられが十分とは言えない。
【０００６】
本発明は、従来の技術が有する上記のような問題点に鑑み、着座感がよく、メッシュ地の繊維のずれが少なく、外観が良好で、しかもメッシュ地の表面に、着座者を保持するのに十分な摩擦力が得られるようにしたメッシュ張り椅子を提供することを目的としている。
【０００７】
【課題を解決するための手段】
本発明によると、上記課題は次のようにして解決される。
（１）　枠状とした座または背凭れのフレームに、メッシュ地を張設した椅子において、前記メッシュ地を、高張力を有するたて糸と、弾性糸とモール糸とを所要本数ずつ交互に配設したよこ糸とからなるものとし、かつ前記よこ糸が、座または背凭れの左右方向を向くようにして、前記メッシュ地をフレームに張設する。
【０００８】
（２）　上記（１）項において、複数本のモール糸を、たて方向に互いに近接して配設する。
【０００９】
（３）　上記（１）または（２）項において、モール糸を、たて糸より表面側に多く現れるようにする。
【００１０】
（４）　上記（１）〜（３）項のいずれかにおいて、複数本の弾性糸を、互いにたて方向に離間させて配設する。
【００１１】
（５）　上記（１）〜（４）項のいずれかにおいて、複数の弾性糸からなる弾性糸群におけるモール糸に隣接する弾性糸を、モール糸に近接させ、弾性糸群における中間部の間隔を大とする。
【００１２】
（６）　上記（１）〜（５）項のいずれかにおいて、たて糸を、ポリエステルマルチフィラメントとする。
【００１３】
（７）　上記（１）〜（６）項のいずれかにおいて、弾性糸を、ポリエーテル系エステル弾性糸とする。
【００１４】
（８）　上記（１）〜（７）項のいずれかにおいて、モール糸を、ポリエステル系繊維の芯糸に、フィラメント加工糸の花糸を絡ませたものとする。
【００１５】
（９）　上記（１）〜（８）項のいずれかにおいて、たて編により、メッシュ地のたて糸をメッシュ亀甲組織とし、このメッシュ亀甲組織のたて方向の直線部に、複数の弾性糸を、互いに離間するようにして、よこ糸として挿入し、かつメッシュ亀甲組織の傾斜部に、複数のモール糸を、互いに近接させて、よこ糸として挿入する。
【００１６】
（１０）　上記（１）〜（９）項のいずれかにおいて、座に張設するメッシュ地における弾性糸の本数及び密度を、背凭れに張設するメッシュ地における弾性糸のものより大とする。
【００１７】
【発明の実施の形態】
以下、本発明の一実施形態を、添付図面を参照して説明する。
図１〜図５は、本発明の椅子の構造を、また、図６以降は、メッシュ地の構成を示す。
【００１８】
図１〜図５に示すように、この椅子は、基本的に座（１）と背凭れ（２）とを備えている。
座（１）は、平面視方形枠状の硬質材料からなるフレーム（３）に、メッシュ地（４）を張設したものよりなっている。
【００１９】
図４及び図５に示すように、メッシュ地（４）は、周縁部に軟質材料からなる挾入片（５）が止着され、フレーム（３）の上方より、フレーム（３）の外側面を覆うように被せた後、周縁部を内向きに折り返すとともに、挾入片（５）を反転させて、フレーム（３）の外周部の下面に設けた周方向の保持溝（６）内へ嵌入し、かつフレーム（３）の下方より、締付枠（７）を、止めねじ（８）等の締付手段をもって締め付けることにより、挾入片（５）が保持溝（６）内へ確実に押し入れられて、フレーム（３）に張力を付与して取り付けられている。
【００２０】
また、フレーム（３）への締付枠（７）の締め付け時に、締付枠（７）に設けた起立片（９）が、メッシュ地（４）の内向きの折り返し部分を、フレーム（３）の下面に設けた挾支溝（１０）へ押し入れることにより、メッシュ地（４）にさらに張力が付与されるようになっている。
【００２１】
背凭れ（２）も、座（１）と同様に、正面視方形枠状をなす硬質材料製のフレーム（１１）に、メッシュ地（１２）が張設されたものよりなっている。
【００２２】
メッシュ地（１２）のフレーム（１１）への張り方は、座（１）におけるメッシュ地（４）の張り方と同一であるので、それについての詳細な説明は省略する。
【００２３】
座（１）用のメッシュ地（４）は、図６に模式的に略示するように、基本的に、高張力を有する多数のたて糸（経糸）（１３）からなるたて糸群（１４）と、所要数の弾性糸（１５）からなる弾性糸群（１６）と所要数のモール糸（１７）からなるモール糸群（１８）とを、たて糸群（１４）にほぼ直交するようにして交互に絡ませたよこ糸（緯糸）群（１９）とからなる織物地または編物地とする。
【００２４】
この例では、弾性糸群（１６）は、４本の弾性糸（１５）からなり、モール糸群（１８）は、２本のモール糸（１７）からなっている。
たて糸（１３）は、５００デニールのポリエステルマルチフィラメントを用いるのが好ましい。
【００２５】
弾性糸（１５）としては、ポリエーテル系エステル弾性糸を用いるのが好ましく、その太さは、１００〜３０００デニール、乾燥収縮率１５０℃で５〜５０％のものが好ましい。
【００２６】
モール糸（１７）は、ポリエステル系繊維の芯糸に、フィラメント加工糸の花糸を絡ませたもので、太さが、毛番手で３．５〜５番のものを用いるのが好ましい。
【００２７】
モール糸（１７）は、たて糸（１３）に対して、例えば３：１の割合で、表面側に多く現れるようにするのが好ましい。弾性糸（１５）は、たて糸（１３）に対して、１：１の割合で表面側に現れる、すなわち表裏均等とするのが好ましい。
【００２８】
図６には、メッシュ地（４）を織物組織として略示してあるが、後述するように、実際には編物組織とするのがより好ましい。
【００２９】
このようにして形成されたメッシュ地（４）を、たて糸（１３）が前後方向を向くようにして、上述のように座（１）のフレーム（３）に張設することにより、快適な着座感が得られるとともに、表面の摩擦力を大とすることができる。
【００３０】
背凭れ（２）用のメッシュ地（１２）は、図７に模式的に略示するように、図６に示す座（１）用のメッシュ地（４）における弾性糸群（１６）から中央の２本の弾性糸（１５）を削除し、その後をそのまま空隙としたものと同一としてある。
【００３１】
すなわち、メッシュ地（１２）においては、弾性糸群（１６’）における２本の弾性糸（１５）を、相互の間を大きく離間させ、かつ互いに近接して配設された２本のモール糸（１７）（１７）からなるモール糸群（１８）に近接するようにして配設している。
【００３２】
メッシュ地（１２）におけるその他の構成は、メッシュ地（４）におけるのと同一であるので、その同一の構成部材に同一の符号を付して図示するに止め、詳細な説明は省略する。
【００３３】
このメッシュ地（１２）を、たて糸（１３）が上下方向を向くようにして、上述の背凭れ（２）のフレーム（１１）に張設することにより、左右方向の伸縮力が座（１）よりも若干弱く、かつ前後方向の見通しがよく、その他は座（１）と同様の作用効果を有する背凭れ（２）が得られる。
【００３４】
図８は、座（１）用のメッシュ地（４）を編物としたときの一例を模式的に示す。
この例では、たて糸（１３）を、図９に示すように、鎖糸（２０）と第１メッシュ編糸（２１）と第２メッシュ編糸（２２）との３種類の編糸からなるものとし、それらを、たて糸挿入装置のあるラッシェル機を使って、図９に示すたて糸編組織でたて編して、図８に略示するようなメッシュ亀甲組織（２３）を形成するとともに、そのたて方向の直線部（２３ａ）に、図６に示すのと同様の４本の弾性糸（１５）からなる弾性糸群（１６）を、互いに離間するようにして、またメッシュ亀甲組織（２３）の傾斜部（２３ｂ）に、２本のモール糸（１７）（１７）からなるモール糸群（１８）を、よこ糸としてそれぞれ挿入して、図１０に示すような編物地としたメッシュ地（４）を形成している。
【００３５】
補強用の鎖糸（２０）としては、例えば１００デニールのポリエステルフィラメントを用いるのがよいが、伸縮性を持たせるために、弾性糸を用いてもよい。
第１メッシュ編糸（２１）及び第２メッシュ編糸（２２）は、５００デニールのポリエステルマルチフィラメントとするのがよい。
モール糸（１７）は、上述したものと同様のものを用いるのがよい。
【００３６】
背凭れ（２）用のメッシュ地（１２）としては、図８に示す構成から、メッシュ亀甲組織（２３）の直線部（２３ａ）と交わる弾性糸群（１６）の中の中央の２本の弾性糸（１５）（１５）を削除したものと同一のものを用いるのがよい。
【００３７】
編物としたメッシュ地（４）も、織物とした場合と同様に、たて糸（１３）が座（１）の前後方向を向くようにして、また編物としたメッシュ地（１２）も、たて糸（１３）が背凭れ（２）の上下方向を向くようにして、各フレーム（３）（１１）に上述したようにして取り付けられる。
【００３８】
背凭れ（２）用のメッシュ地（１２）において、座（１）用のメッシュ地（４）よりもよこ糸の弾性糸（１５）の本数を少なくしたのは、背凭れ（２）には座（１）におけるような大きな荷重が掛かることがなく、またメッシュの空隙を大として、前後方向の見通しをよくすることが、メッシュとしてのデザイン性に優れるからである。
【００３９】
メッシュ地（４）（１２）は、上述したように、たて糸（１３）をメッシュ亀甲組織に編んだ編物地とするのが好ましいが、編組織はこれに限定されるものではなく、他の編組織を採用することもできる。
【００４０】
また、よこ糸として交互に配設する弾性糸とモール糸とのそれぞれ本数は自由に定めることができ、それを変更することによって、種々のデザインのものを得ることができる。
【００４１】
【発明の効果】
本発明によると、次のような効果を奏することができる。
請求項１：座または背凭れに張設されたメッシュ地により、座の前後方向または背凭れの上下方向に、高張力が得られ、またそれと直交する左右方向には、弾性糸とモール糸とにより、十分な伸縮性が得られるので、良好な着座感が得られる。
また、モール糸がたて糸に絡むので、たて糸に対してよこ糸のずれやほつれが生じにくく、しかもモール糸がアクセントとなって、デザインが単調になるのを防止しうるとともに、モール糸と弾性糸との組合せにより、美麗なメッシュ構造を呈することができる。
さらに、モール糸がメッシュ地の表面に露呈することにより、着座者を保持するのに十分な摩擦力が得られるとともに、表面をソフトに仕上げることができ、特に、モール糸が座または背凭れの左右方向を向くことにより、着座者の臀部が前後方向に、または着座者の背が上下方向に滑るのを防止することができる。
【００４２】
請求項２：メッシュ地の表面に現れるモール糸の部分の幅が増し、モール糸部分が強調されて、横縞を呈し、外観を向上しうるとともに、メッシュ地表面の摩擦力を増大することができる。
【００４３】
請求項３：メッシュ地の表面の摩擦力を増大しうるとともに、座または背の表面に柔らかさを持たせることができる。
【００４４】
請求項４：メッシュ地の空隙部分を形成して、メッシュ地を通して、見通すことができる。
【００４５】
請求項５：メッシュ地の空隙部分を大とすることができる。
【００４６】
請求項６：メッシュ地のたて方向の張力を大とすることができる。
【００４７】
請求項７：メッシュ地のよこ方向に十分な弾性力を持たせることができる。
【００４８】
請求項８：メッシュ地の表面に十分な摩擦力とソフト感を付与することができる。
【００４９】
請求項９：たて編したことと、メッシュ亀甲組織の傾斜部にモール糸が絡まることにより、たて糸とよこ糸とのずれやほつれを確実に防止しうるとともに、メッシュ亀甲組織の傾斜部がモール糸に埋没して、所要幅の横縞となり、それとメッシュ亀甲組織のたて方向の直線部とにより、メッシュ地は美麗な千鳥格子状のメッシュ柄を呈することができ、強さと弾性とのバランスがよく、しかもデザイン性に優れたメッシュ張り椅子を提供することができる。
【００５０】
請求項１０：このような構成とすると、座は、強度が増す反面、見通し性が悪くなり、逆に背凭れは、強度が低下する反面、見通し性がよくなる。
このことは、座は、着座者のほぼ全体重を受けることになるので、大きな強度が要求されるとともに、座の下方の細々した構造が座面から鮮明に見通せない方がむしろ好ましく、背凭れは、座ほどの荷重が掛かることはないので、強度的には座より弱くてよく、反面、メッシュ張り椅子の特色として、背凭れ面を通しての見通し性がよいことが望まれるという要求に合致し、好都合である。
【図面の簡単な説明】
【図１】本発明の一実施形態の正面図である。
【図２】同じく、側面図である。
【図３】同じく、一部切欠平面図である。
【図４】同じく、図３のＩＶ−ＩＶ線拡大縦断正面図である。
【図５】同じく、図４と同一の部分を分解した縦断正面図である。
【図６】同じく、座用のメッシュ地の織組織を示す模式図である。
【図７】同じく、背凭れ用のメッシュ地の織組織を示す模式図である。
【図８】同じく、座用のメッシュ地の編組織を示す模式図である。
【図９】同じく、たて糸の編組織を示す組織図である。
【図１０】同じく、座用のメッシュ地の編組織を示す組織図である。
【符号の説明】
（１）座
（２）背凭れ
（３）フレーム
（４）メッシュ地
（５）挾入片
（６）保持溝
（７）締付枠
（８）止めねじ
（９）起立片
（１０）挾支溝
（１１）フレーム
（１２）メッシュ地
（１３）たて糸
（１４）たて糸群
（１５）弾性糸（よこ糸）
（１６）（１６’）弾性糸群
（１７）モール糸（よこ糸）
（１８）モール糸群
（１９）よこ糸群
（２０）鎖糸（たて糸）
（２１）第１メッシュ編糸（たて糸）
（２２）第２メッシュ編糸（たて糸）
（２３）メッシュ亀甲組織
（２３ａ）直線部
（２３ｂ）傾斜部
【図１】
2004135707.tif 000003
【図２】
2004135707.tif 000004
【図３】
2004135707.tif 000005
【図４】
2004135707.tif 000006
【図５】
2004135707.tif 000007
【図６】
2004135707.tif 000008
【図７】
2004135707.tif 000009
【図８】
2004135707.tif 000010
【図９】
2004135707.tif 000011
【図１０】
2004135707.tif 000012